(57)【要約】【課題】水槽部下方のスペースの有効利用が図りやすくなるシンクを提供する。【解決手段】水槽部１１の底面部１４裏面に形成されているトラップ部７に流入した排水中のゴミが該トラップ部７に収容されたゴミ収容部材８で捕捉され、前記排水のみが排水管７１に排出されるように構成されているシンクにおいて、前記排水管７１が前記トラップ部７の外側方に配設されており、前記トラップ部７の側周壁７ａに形成された下流端開口７２と前記排水管７１の上流端開口７３とを連通する弁室２０が形成され、前記弁室２０には、前記トラップ部７の前方外部から操作されて、前記下流端開口７２から上流端開口７３までの排水流路Ｇを開閉可能に閉塞する弁部材４１が配設されている。【選択図】図３
2008248639.tif 000002
【特許請求の範囲】
【請求項１】
水槽部の底面部裏面に形成されているトラップ部に流入した排水中のゴミが該トラップ部に収容されたゴミ収容部材で捕捉され、前記排水のみが排水管に排出されるように構成されているシンクにおいて、
前記排水管が前記トラップ部の外側方に配設されており、
前記トラップ部の側周壁に形成された下流端開口と前記排水管の上流端開口とを連通する弁室が形成され、
前記弁室には、前記トラップ部の前方外部から操作されて、前記下流端開口から上流端開口までの排水流路を開閉可能に閉塞する弁部材が配設されていることを特徴とするシンク。
【発明の詳細な説明】
【技術分野】
【０００１】
この発明は、例えば一般家庭の厨房、業務用厨房などの流し台に用いられるシンクに関する。
【背景技術】
【０００２】
一般に、流し台のシンクでは、水槽部の底面部の裏面に、該底面部の脱着孔を取り囲む態様でゴミ収容部材収容用のトラップ部が形成され、該トラップ部の下方側に下方へ延びる排水管が接続されており、前記水槽部内の排水が前記脱着孔から前記トラップ部を通して前記排水管に流入される一方、排水中のゴミが前記トラップ部に収容されたゴミ収容部材に捕捉・収容されるようになっている（例えば、特許文献１参照）。
【０００３】
そして、上下方向に沿って操作される弁部材により前記排水管への排水路を閉成しておけば、水槽部内に水／湯を溜めることができるようになっている。
【特許文献１】特開平５−９９３６号公報
【発明の開示】
【発明が解決しようとする課題】
【０００４】
しかし、従来のシンクでは、前記水槽部の底面部に下方へ延びる排水管が接続され、排水管への流路を上下方向へ沿って開閉できるようにした構成であるから、排水管の配管によって水槽部の下方スペースの利用が制約されてしまい、使い難いという問題がある。
【０００５】
この発明は、上記実情に鑑みてなされたものであり、水槽部下方のスペースを有効利用しやすくなるシンクを提供することを課題としている。
【課題を解決するための手段】
【０００６】
上記課題は、水槽部の底面部裏面に形成されているトラップ部に流入した排水中のゴミが該トラップ部に収容されたゴミ収容部材で捕捉され、前記排水のみが排水管に排出されるように構成されているシンクにおいて、前記排水管が前記トラップ部の外側方に配設されており、前記トラップ部の側周壁に形成された下流端開口と前記排水管の上流端開口とを連通する弁室が形成され、前記弁室には、前記トラップ部の前方外部から操作されて、前記下流端開口から上流端開口までの排水流路を開閉可能に閉塞する弁部材が配設されていることを特徴とするシンクによって解決される。
【発明の効果】
【０００７】
この発明によれば、水槽部からのゴミが、トラップ部に収容されたゴミ収容部材に収容される一方、前記弁部材で排水の流路を開放しておけば、排水が前記トラップ部を経て排水管に排出される。
【０００８】
前記排水管がトラップ部の外側方に配設され、トラップ部の側周壁に形成された下流端開口と前記排水管の上流端開口とを連通する弁室内に排水流路を開閉可能な弁部材が設けられているから、前記弁部材を操作して排水流路を閉成すれば、水／湯を水槽部内に簡単に溜めることができ、とくに、水槽部の下方スペースを利用するうえで配水管の配管が邪魔になることもなくなり、使いやすくなる。
【発明を実施するための最良の形態】
【０００９】
以下、この発明の一実施形態を図面に基づいて説明する。
【００１０】
図１および図２は、それぞれこの発明の一実施形態に係るシンクが適用された流し台の概要を示す外観図および平面図、図３は、図２のＡ−Ａ線に沿った断面図である。
【００１１】
図１〜図３において、１は断面略Ｕ字形の水槽部１１を備えたシンクであり、例えばステンレスなどから平面形状が長方形に成形されており、流し台本体２に取り付けられている。
【００１２】
前記水槽部１１の上部は、周方向全域にわたり、上周縁１１ｃから断面山形状に成形成されることにより、内周面１２に突出部１３が形成されている。
【００１３】
また、水槽部１１における前後方向（矢印ｂ方向）の両内壁面１２，１２の上部付近には、互いに左右方向（矢印ａ方向）で一定の距離を隔てて、例えば２個の給水部３，３が設けられている。
【００１４】
各給水部３は、例えば、前記突出部１３の先端に形成された開口部３１と、突出部１３の外側に配置された給水ユニット３３とを備えており、水／湯の選択されたものが、給水ユニット３３から開口部３１を経て吐出されるようになっている。
【００１５】
前記シンク１の底面部１４おける左右方向の中央部には、例えば平面形状が円形の脱着孔１５が形成される一方、前記底面部１４の裏面には、前記脱着孔１５を取り囲む部位に位置して、洗面器形のゴミ収容部材８が収容される膨出空間からなるトラップ部７が形成されている。
【００１６】
この実施形態におけるトラップ部７は、底浅の円形の偏平状に形成されており、水槽部１１内からこのトラップ部７に流下した排水は、該トラップ部７の外側方、具体的には、後方側に配置された排水管７１に導入されるように構成されている。
【００１７】
なお、この排水管７１の上流端開口７３は、図３に明瞭に示すように、斜め下向きに成形されて開口形状が楕円形になっている。
【００１８】
前記流し台本体２の前面２ａには、給水（給湯も含む）開始および終了の動作を行う給水スイッチ、給水選択スイッチ、湯温調節つまみなどの操作スイッチ群５が設けられている。
【００１９】
このように操作スイッチ群５を流し台本体２の前面２ａを設けることにより、作業者がシンク１の後方へ手を伸ばすことなく、手近な位置で給水開始および終了の指示、給水部３の選択指示、湯温調節などを行うことができる。
【００２０】
前記流し台２の前面２ａには、上部側に位置して左右へ延びる凹条部２ｂが形成されており、この凹条部２ｂ内には、左右方向で一定間隔を隔てた２個所に、前方へ向かって突出するフック部材８１ａ，８１ａが前後方向へ進退変移可能に装着されている。そして、これらのフック部材８１ａ、８１ａの先端部に棒状の引掛部材８１ｂが水平配置で掛け渡されている。この引掛部材８１ｂは、作業者が図３に示すように前方へ引き出せば、フック部材８１ａ，８１ａの前方への進出変移に伴って前方へ移動して、流し台本体２の前面２ａから突出し、この突出した引掛部材７に、例えばタオルその他のものを引っかけて保持することが出来るようになっている。また、引掛部材８１ｂを使用しないときは、後方に押し戻すことでフック部材８１ａ，８１ａを後方へ変位させる。フック部材８１ａ，８１ａが後方へ最大変位した状態では、引掛部材８１ｂが凹条部２ｂ内に収容され、流し台本体２の前面２ａから突出しないようになっている。
【００２１】
前記ゴミ収容部材８は、トラップ部７の形状に対応して、底浅円形ないし小判形（ただし形状等は適宜変更可能）の偏平状に形成されるとともに、例えば、排水のみを通過させる程度のメッシュの網かごなどからなり、水槽部１１から排水と共にトラップ部７に流れ込んだゴミが排水管７１に流入しないように捕捉するものである。
【００２２】
このゴミ収容部材８は、前記脱着孔１５を介して取り出し可能に装着されて、前記トラップ部７内に収容されており、脱着孔１５は、常時は、多数の孔１６ａを有する蓋１６によって閉塞されている。
【００２３】
ゴミ収容部材８にゴミが溜まった時は、前記蓋１６を外し、脱着孔１５を通して該ゴミ収容部材８を取り出すことができる。
【００２４】
蓋１６等の構成は図２及び図３に示すものに限定されることはない。例えば、図５及び図６に示すように、脱着孔１５及び蓋１６を前後に長い楕円形ないし小判形に形成すると共に、蓋１６の周縁部に下向きに突出する湾曲状の縁部１６ｃを形成し、蓋１６の上面１６ｂには孔を設けることなく、前記縁部１６ｃに孔１６ｄを形成し、蓋１６の配置状態において蓋１６の周囲に形成された隙間２００に流れ込んだ水が、前記孔１６ｄを透過してゴミ収容部材８へと排水される構成としても良い。
【００２５】
前記トラップ部７の側周壁部７ａにおける後側部位、つまり、前記排水管７１に対応する部位には、該トラップ部７に流入した排水に対する下流端開口７２が形成されている。
【００２６】
また、トラップ部７における下流端開口７２と、前記排水管７１の上流端開口７３とは、弁室２０により連通状態で接続されており、この弁室２０内には、前記排水管７１の上流端開口７３を開閉可能に閉塞する弁部材４１が配設されている。
【００２７】
具体的には、前記弁室２０は、例えば金属なしいは合成樹脂により成形されており、また、前記弁部材４１は、金属ないしは合成樹脂により前記上流端開口７３に対応した形状、つまり、正面形状が楕円の盤形に成形されており、その上端部には、左右方向に突出する軸４２，４２が設けられている。
【００２８】
この軸４２，４２を前記弁室２０の左右両壁に形成された軸受け（図示せず）に支持させることにより、弁部材４１は、前後方向へ揺動可能に設定されており、図３の実線で示す位置で前記排水管７１の上流端開口７３を閉塞し、鎖線で示す位置で前記排水管７１の上流端開口７３を開放させるように構成されている。
【００２９】
なお、前記弁室２０における下面部２１は、前記弁部材４１の開閉時の揺動変移を妨げない揺動半径を確保するとともに、開放位置で弁室２０における下面部２１の内面との間に排水流路Ｇを確保するために、下方へ円弧状に膨出する状態に湾曲成形されている。
【００３０】
また、前記排水管７１の上流端開口７３の端部外周と前記弁室２０における排水管接続開口端部内周との間には、環状のパッキング部材７４が介在されており、弁室２０と排水管７１の上流開口端部との間の液密性を確保するとともに、排水管７１の上流端開口７３に対して閉成位置での弁部材４１の密着性を確保させてある。
【００３１】
前記弁室２０内には、前記弁部材４１の配置位置よりも上流側に位置して、網板５１が着脱可能に斜め姿勢で配置されている。この網板５１の下端部に対応して前記弁室２０の下面部２１の内面には、該網板５１の装着用凹部２２が形成されている。
【００３２】
前記弁部材４１は、前記流し台本体２の前面２ａから開閉操作するための開閉操作手段６０により開閉操作されるように構成されてる。
【００３３】
前記操作手段６０は、例えば流し台本体２の前面２ａに装着された弁部材操作体としての操作ハンドル６１と、この操作ハンドル６１と前記弁部材４１とを連結する操作棹部材６２とを備えている。
【００３４】
前記操作棹部材６２は、例えば前記トラップ部７を迂回するように曲げ加工されており、その先端部が前記弁室２０の側壁を液密に貫通した状態で前記弁部材４１に枢支・連結されている（その連結構造は図面では簡素化上、省略する）。
【００３５】
上記のように構成されたシンク１においては、まず、作業者が水／湯（あるいは混合）を選択し、給水スイッチ群５を操作すると、給水部３における給水ユニット３３からの水／湯が開口部３１から水槽部１１内に吐出される。
【００３６】
排水は、水槽部１１の底面部１４における着脱孔１５の蓋１６の孔を通して前記トラップ部７に流下する。
【００３７】
この時、前記弁部材４１が図４の鎖線で示す開放位置にセットされていれば、前記トラップ部７に流下した排水は、前記弁室２０に網板５１、排水流路Ｇを経て前記排水管７１に排出される。
【００３８】
一方、前記排水に含まれていたゴミは、前記トラップ部７に流下すると、ゴミ収容部材８に捕捉されて収容される。仮に、このゴミ収容部材７に捕捉されなかったゴミがあっても、前記弁室２０に配置してある網板５１で捕捉されるから、排水のみが確実に排水管７１に排出される。
【００３９】
ゴミが収容されたゴミ収容部材８は、前記脱着孔１５の蓋１６を外せば、トラップ部７から取り出すことができる。
【００４０】
また、前記水槽部１１内に水を溜めたい場合には、前記操作ハンドル６１を押し込み操作すれば、前記開放位置にあった弁部材４１が図４の実線で示す位置に変移し、排水管７１の上流端開口７３が閉塞される。これにより、前記給水部３から吐出された水を前記水槽部１１内に溜めることが可能となる。逆に、水槽部１１内に溜めた水を排出する場合には、前記操作ハンドル６１を引き出し操作すれば良く、閉塞位置にあった弁部材４１が開放位置に変位し、排水が可能となる。
【００４１】
ここで、前記排水管７１を底浅扁平状のトラップ部７の後方側に配置し、トラップ部７の側周壁７ａにおける後部側に形成した下流端開口７２と排水管７１の上流端開口７３とを弁室２０を介して接続し、この弁室２０内に流路を開閉可能に閉塞する弁部材４１を配置したから、水／湯を水槽部１１内に簡単に溜めることができるうえ、トラップ部７の下に排水管を接続したものに比して水槽部１１の下方に排水管７１を配管しなくてよいから、その分、水槽部１１の下方のスペースを利用しやすくなる。
【００４２】
前記排水管７１は、トラップ部７の側周壁７ａの左右方向の側方に配置してもよいが、この実施形態のように、排水管７をトラップ部７の側周壁７ａにおける後部に対応して配置してあると、流し台本体２の前方から物を収容する際の支障が全くなくなり、一層使いやすくなる。
【００４３】
なお、弁部材４１は、上記実施形態のように、排水管７１の上流端開口７３を開閉するものに限らず、トラップ部７の下流端開口７２と排水管７１の上流端開口７３との間の排水流路Ｇを開閉できる構造であればよく、また、弁室２０の構造や弁部材４１についても、上記実施形態で採用したものに限定されるものではなく、適宜、変更可能である。
【図面の簡単な説明】
【００４４】
【図１】この発明の一実施形態に係るシンクが適用された流し台の概要を示す外観図である。
【図２】同じく流し台を示す平面図である。
【図３】図２のＡ−Ａ線に沿った断面図である。
【図４】シンクにおける排水管接続部位を示す破断斜視図である。
【図５】蓋の変形例を示すもので、流し台の平面図である。
【図６】図５のＢ−Ｂ線に沿った断面図である。
【符号の説明】
【００４５】
１      シンク
７      トラップ部
７ａ    トラップ部の側周壁
８      ゴミ収容部材
１１    水槽部
１４    水槽部の底面部
２０    弁室
４１    弁部材
６０    弁部材操作手段
７１    排水管
７２    トラップ部における下流端開口
７３    排水管における上流端開口
Ｇ      排水流路
【図１】
2008248639.tif 000003
【図２】
2008248639.tif 000004
【図３】
2008248639.tif 000005
【図４】
2008248639.tif 000006
【図５】
2008248639.tif 000007
【図６】
2008248639.tif 000008